(57)【特許請求の範囲】
【請求項１】
正極及び負極の電極端子を有する複数の単電池からなる単電池群と、
隣り合う前記電極端子間を接続する接続部材と、
前記接続部材と別に構成され、前記単電池群に組み付けられる配線モジュールとを備え、
前記配線モジュールは、
単電池の状態を検知するために設けられ複数の電線の端末部に接続された複数の検知端子と、
前記各検知端子を保持する複数の保持部と、
隣り合う前記複数の保持部間に設けられ前記保持部間の間隔を調整する間隔調整手段と、を備える電池モジュール。
【請求項２】
前記接続部材は、隣り合う前記電極端子間を接続する電極間接続部と、前記検知端子に重ねられて前記検知端子と接続される検知接続部とを備える請求項１に記載の電池モジュール。
【請求項３】
前記間隔調整手段は、前記保持部の並び方向に対して傾斜した方向に延出されることにより、前記保持部の並び方向に弾性変形可能に構成された撓み部である請求項１又は請求項２に記載の電池モジュール。
【請求項４】
前記単電池群は、前記電極端子が２列に並んで設けられており、前記配線モジュールは、前記複数の保持部及び前記間隔調整手段を有する樹脂プロテクタを備え、
前記樹脂プロテクタは、前記電極端子の各列にそれぞれ組み付けられる第１プロテクタと第２プロテクタとを備え、
前記第１プロテクタ及び前記第２プロテクタは、共に、前記検知端子に接続された電線が配される溝部が設けられており、
前記第１プロテクタ及び前記第２プロテクタの前記溝部は、互いに交互に連なって一列の電線収容溝を構成している請求項１ないし請求項３のいずれか一項に記載の電池モジュール。
【請求項５】
正極及び負極の電極端子を有する複数の単電池からなる単電池群の隣り合う電極端子間が接続部材により接続された前記単電池群に組み付け可能で、前記接続部材と別に構成された配線モジュールであって、
単電池の状態を検知するために設けられ複数の電線の端末部に接続された複数の検知端子と、
前記各検知端子を保持する複数の保持部と、
隣り合う前記複数の保持部間に設けられ前記保持部間の間隔を調整する間隔調整手段と、を備える配線モジュール。
【請求項６】
前記接続部材は、隣り合う前記電極端子間を接続する電極間接続部と、前記検知端子に重ねられて前記検知端子と接続される検知接続部とを備える請求項５に記載の配線モジュール。
【請求項７】
前記間隔調整手段は、前記保持部の並び方向に対して傾斜した方向に延出されることにより、前記保持部の並び方向に弾性変形可能に構成された撓み部である請求項５又は請求項６に記載の配線モジュール。
【請求項８】
前記単電池群は、前記電極端子が２列に並んで設けられており、前記配線モジュールは、前記複数の保持部及び前記間隔調整手段を有する樹脂プロテクタを備え、
前記樹脂プロテクタは、前記電極端子の各列にそれぞれ組み付けられる第１プロテクタと第２プロテクタとを備え、
前記第１プロテクタ及び前記第２プロテクタは、共に、前記検知端子に接続された電線が配される溝部が設けられており、
前記第１プロテクタ及び前記第２プロテクタの前記溝部は、互いに交互に連なって一列の電線収容溝を構成している請求項５ないし請求項７のいずれか一項に記載の配線モジュール。
【発明の詳細な説明】
【技術分野】
【０００１】
本発明は、電池モジュール及び配線モジュールに関する。
【背景技術】
【０００２】
電気自動車やハイブリッド車用の電池モジュールは、正極及び負極の電極端子を有する単電池が複数個並んで配列されており、隣り合う単電池の電極端子間がバスバー（接続部材）で接続されることにより複数の単電池が直列や並列に接続される。
【０００３】
下記特許文献１では、合成樹脂製の複数の単位ユニットに電極端子間を接続する接続部材及びこの接続部材に重ねられる電圧検知端子が収容されており、隣り合う単位ユニットを連結することで電池接続アセンブリ（配線モジュール）が形成されている。この電池接続アセンブリ（配線モジュール）の電圧検知端子に接続された電線は、溝部を通って電池ＥＣＵに延びており、電池ＥＣＵにて単電池の電圧が検知される。
【先行技術文献】
【特許文献】
【０００４】
【特許文献１】特開２０１１−１７５９２８号公報
【発明の概要】
【発明が解決しようとする課題】
【０００５】
ところで、上記特許文献１では、電圧検知端子を接続部材における電極端子間を連ねる領域に重ねているが、電圧検知端子を電極端子間を連ねる領域とは異なる位置に配置したい場合が考えられる。例えば、単電池において接続部材で接続される電極端子とは異なる位置に設けられた電圧検知用の電極に接続するための電圧検知端子である場合や、電圧検知端子に連なる電線の配策径路を簡素化するために電圧検知端子の位置を変える場合等などが考えられる。
【０００６】
このように接続部材における電極端子間を連ねる領域外に配された電圧検知端子が配線モジュール内に備えられる場合には、接続部材のスペースに加えて、配線モジュール内に電圧検知端子のみを収容するためのスペースを設ける必要があり、配線モジュールの小型化の障害となるという問題がある。
【０００７】
本発明は上記のような事情に基づいて完成されたものであって、配線モジュールを小型化することを目的とする。
【課題を解決するための手段】
【０００８】
本発明に係る電池モジュールは、正極及び負極の電極端子を有する複数の単電池からなる単電池群と、隣り合う前記電極端子間を接続する接続部材と、前記接続部材と別に構成され、前記単電池群に組み付けられる配線モジュールとを備え、前記配線モジュールは、単電池の状態を検知するために設けられ複数の電線の端末部に接続された複数の検知端子と、前記各検知端子を保持する複数の保持部と、隣り合う前記複数の保持部間に設けられ前記保持部間の間隔を調整する間隔調整手段と、を備える構成としたところに特徴を有する。
【０００９】
本構成によれば、接続部材が配線モジュールとは別に構成されるため、配線モジュールを小型化することが可能になる。
また、隣り合う単電池間の寸法公差に対しては、隣り合う保持部間に間隔調整手段を設けたため、隣り合う単電池間の寸法公差による不具合を防止することが可能になる。
【００１０】
上記構成の実施態様として以下の構成を有すれば好ましい。
・前記接続部材は、隣り合う前記電極端子間を接続する電極間接続部と、前記検知端子に重ねられて前記検知端子と接続される検知接続部とを備える。
このようにすれば、接続部材を配線モジュールとは別に構成したとしても、簡素な構成で、検知端子により電極端子間の状態を検知することが可能になる。
【００１１】
・前記間隔調整手段は、前記保持部の並び方向に対して傾斜した方向に延出されることにより、前記保持部の並び方向に弾性変形可能に構成された撓み部である。
このようにすれば、簡素な構成で単電池間の寸法公差を吸収することが可能になる。
【００１２】
・前記撓み部は、前記配線モジュールの前記単電池群への組み付け方向に厚肉の形状である。
このようにすれば配線モジュールにおける組み付け方向の剛性を高めることが可能になる。
【００１３】
・前記単電池群は、前記電極端子が２列に並んで設けられており、前記配線モジュールは、前記複数の保持部及び前記間隔調整手段を有する樹脂プロテクタを備え、前記樹脂プロテクタは、前記電極端子の各列にそれぞれ組み付けられる第１プロテクタと第２プロテクタとを備え、前記第１プロテクタ及び前記第２プロテクタは、共に、前記検知端子に接続された電線が配される溝部が設けられており、前記第１プロテクタ及び前記第２プロテクタの前記溝部は、互いに交互に連なって一列の電線収容溝を構成している。
このようにすれば、１列の電線収容溝に電線を配策することができるため、電線を配策する構成を簡素化することができる。
【００１４】
本発明に係る配線モジュールは、正極及び負極の電極端子を有する複数の単電池からなる単電池群の隣り合う電極端子間が接続部材により接続された前記単電池群に組み付け可能で、前記接続部材と別に構成された配線モジュールであって、単電池の状態を検知するために設けられ複数の電線の端末部に接続された複数の検知端子と、前記各検知端子を保持する複数の保持部と、隣り合う前記複数の保持部間に設けられ前記保持部間の間隔を調整する間隔調整手段と、を備えるところに特徴を有する。
【００１５】
本構成によれば、接続部材が配線モジュールとは別に構成されるため、配線モジュールを小型化することが可能になる。
また、隣り合う単電池間の寸法公差に対しては、隣り合う保持部間に間隔調整手段を設けたため、隣り合う単電池間の寸法公差による不具合を防止することが可能になる。
【００１６】
上記構成の実施態様として以下の構成を有すれば好ましい。
・前記接続部材は、隣り合う前記電極端子間を接続する電極間接続部と、前記検知端子に重ねられて前記検知端子と接続される検知接続部とを備える。
このようにすれば、接続部材を配線モジュールとは別に構成したとしても、簡素な構成で、検知端子により電極端子間の状態を検知することが可能になる。
【００１７】
・前記間隔調整手段は、前記保持部の並び方向に対して傾斜した方向に延出されることにより、前記保持部の並び方向に弾性変形可能に構成された撓み部である。
このようにすれば、簡素な構成で単電池間の寸法公差を吸収することが可能になる。
【００１８】
・前記撓み部は、前記配線モジュールの前記単電池群への組み付け方向に厚肉の形状である。
このようにすれば配線モジュールにおける組み付け方向の剛性を高めることが可能になる。
【００１９】
・前記単電池群は、前記電極端子が２列に並んで設けられており、前記配線モジュールは、前記複数の保持部及び前記間隔調整手段を有する樹脂プロテクタを備え、前記樹脂プロテクタは、前記電極端子の各列にそれぞれ組み付けられる第１プロテクタと第２プロテクタとを備え、前記第１プロテクタ及び前記第２プロテクタは、共に、前記検知端子に接続された電線が配される溝部が設けられており、前記第１プロテクタ及び前記第２プロテクタの前記溝部は、互いに交互に連なって一列の電線収容溝を構成している。
このようにすれば、１列の電線収容溝に電線を配策することができるため、電線を配策する構成を簡素化することができる。
【発明の効果】
【００２０】
本発明によれば、配線モジュールを小型化することが可能になる。
【図面の簡単な説明】
【００２１】
【図１】本発明の実施形態に係る電池モジュールを示す斜視図
【図２】電池モジュールを示す平面図
【図３】電池モジュールを示す正面図
【図４】接続部材を示す平面図
【図５】配線モジュールを示す平面図
【図６】電圧検知端子を示す斜視図
【図７】樹脂プロテクタを示す平面図
【図８】樹脂プロテクタを示す背面図
【図９】樹脂プロテクタを示す側面図
【図１０】樹脂プロテクタを示す底面図
【図１１】単電池群に接続部材を組み付けた状態を示す平面図
【発明を実施するための形態】
【００２２】
＜実施形態＞
本発明の一実施形態を、図１ないし図１２を参照しつつ説明する。
本実施形態の電池モジュール１０は、図１に示すように、複数の単電池１１を並べて構成された単電池群１３に配線モジュール２０を取付けて構成されるものであり、この電池モジュール１０は、例えば、電気自動車またはハイブリッド自動車等の駆動源として使用される。以下では、上下方向については、図３を基準とし、前後方向については、図２の下方を前方、上方を後方として説明する。
【００２３】
（電池モジュール）
電池モジュール１０は、図２に示すように、横並びに配列された複数個の単電池１１からなる単電池群１３と、隣り合う電極端子１２Ａ，１２Ｂ間を接続する接続部材１５と、単電池群１３の上面に組み付けられる配線モジュール２０とを備えて構成されている。
【００２４】
各単電池１１は、内部に図示しない発電要素が収容された直方体状の本体部の上面から垂直に突出する一対の電極端子１２Ａ，１２Ｂを有する。
電極端子１２Ａ，１２Ｂ（正極を１２Ａ，負極を１２Ｂとして図示）は、ボルトであって、本体部の前部及び後部に設けられており、外周にネジ溝を有する。
【００２５】
各単電池１１の極性（正負）の向きは、互いに隣り合う単電池１１が逆向きになるように配置されており、これにより、互いに異極の電極端子１２Ａ，１２Ｂが隣り合うように構成されている。これら複数の単電池１１は図示しない保持板によって固定されている。
このように構成された単電池群１３は電極端子１２Ａ，１２Ｂが前後２列に並んでおり、接続部材１５を組み付けることにより、複数の単電池１１が直列に接続される。
【００２６】
（接続部材）
接続部材１５は、銅、銅合金、アルミニウム等の金属板材からなり、図４に示すように、Ｔ字状であって、左右方向に延びて隣り合う電極端子１２Ａ，１２Ｂ間を接続する電極間接続部１６と、前後方向に延びて電圧検知端子２１と接続される検知接続部１８とを有する。
【００２７】
電極間接続部１６には、左右一対の通し孔１７，１７が貫通形成されている。通し孔１７，１７は、やや左右方向に長い長円形状をなす。
検知接続部１８は、左右方向（電極間接続部１６の延出方向）の中間部から前後方向（延出方向と直交する方向）に延びており、その幅寸法が電極間接続部１６の幅寸法よりも細径である。
検知接続部１８の先端部には、円形状の端子固定孔１９が形成されている。端子固定孔１９は、接続部材１５と電圧検知端子２１との間を固定部材（図示しない）により固定するためのものである。
【００２８】
なお、固定部材による固定は、例えば、端子固定孔１９の部分に、バーリング加工を施してその内面にネジ溝を形成したり、ナットのネジ孔が端子固定孔１９に連なるようにナットを検知接続部１８の裏面に溶接等で固定することにより端子固定孔１９の内面に連なるネジ溝を形成し、ボルト等の固定部材で締結するようにすればよい。
【００２９】
（配線モジュール）
配線モジュール２０は、図５に示すように、電線Ｗの端末部に接続されて単電池１１の電圧を検知する複数の電圧検知端子２１（本発明の構成である「検知端子」の一例）と、複数の電圧検知端子２１が収容される合成樹脂製の樹脂プロテクタ２８と、を備えて構成されている。
【００３０】
（電圧検知端子）
電圧検知端子２１は、図６に示すように、単電池１１の電圧を検知するために設けられており、板状部２２と、電線Ｗの端末に接続される電線接続部２５とを備える。
板状部２２は、矩形状であって、中心部に円形状の接続部材固定孔２３が形成されている。この接続部材固定孔２３は、接続部材１５の検知接続部１８に設けられた端子固定孔１９に連なるようになっており、接続部材固定孔２３及び端子固定孔１９に固定部材（図示しない）を通して電圧検知端子２１と接続部材１５との間の電気的接続及び相対的位置の固定を行う。
板状部２２の先端側の一方の角部には、矩形状の係止片２４が前方に突出して設けられている。
【００３１】
電線接続部２５は、電線Ｗの導体部が接続されるワイヤバレル部２６と、電線Ｗ被覆（絶縁層）の上から保持するインシュレーションバレル部２７とを備える。
電線Ｗは、被覆電線であって、端末部において絶縁被覆（絶縁層）を剥ぎ取り露出させた導体が電圧検知端子２１に接続されている。
電線Ｗは、後述する電線収容溝４３に集められて電池ＥＣＵ（図示しない）に導かれる。この電池ＥＣＵは、マイクロコンピュータ、素子等が搭載されたものであって、単電池１１の電圧・電流・温度等の検知、各単電池１１の充放電コントロール等を行うための機能を備えた周知の構成のものである。
【００３２】
（樹脂プロテクタ）
樹脂プロテクタ２８は、合成樹脂製であって、図７に示すように、前方側に配される第１プロテクタ２８Ａと、後方側に配されて第１プロテクタ２８Ａとは別体で形成された第２プロテクタ２８Ｂとを有し、共に、各電圧検知端子２１を保持する複数の保持部２９と、各電圧検知端子２１に接続された電線Ｗが通される溝部３４と、左右に隣り合う保持部２９間を接続するとともに隣り合う保持部２９間の間隔を調整可能な間隔調整手段４０と、を備える。
【００３３】
保持部２９は、電圧検知端子２１が載置される矩形状の底板３０と、底板３０の周縁部から立ち上がる仕切り壁３２と、を備えている。
底板３０には、矩形状の開口部３１が底板３０を貫通して設けられており、この開口部３１を電圧検知端子２１と接続部材１５とを接続する固定部材が貫通するようになっている。
【００３４】
仕切り壁３２は、工具等が電圧検知端子２１に接触して短絡することを防止するために、工具等の接触が防止される高さで設けられるものであり、電圧検知端子２１を包囲するように立設されている。
仕切り壁３２は、板状部２２の前後から挟み込むことにより板状部２２を保持部２９に保持している。板状部２２と左右の仕切り壁３２との間には、底板３０の上に板状部２２が配されない部分が形成されている。なお、仕切り壁３２の内面に、例えば仕切り壁３２を切欠いて内方側に爪状に突出する撓み片を設け、この撓み片の爪の下に板状部２２の周縁部を配することで、電圧検知端子２１の保持部２９からの離脱を規制するようにしてもよい。
【００３５】
仕切り壁３２のうち溝部３４とは反対側には、電圧検知端子の係止片２４が挿通される係止片挿通孔（図示しない）が設けられている。
係止片挿通孔は、左右方向に延びるスリット状であって、係止片の先端部が係止片挿通孔からわずかに突き出る。なお、底板３０には、図１０に示すように係止片挿通孔を形成するための金型の抜き孔３３Ａが係止片挿通孔に連なるように設けられている。
仕切り壁３２における係止片挿通孔の外方側の面には、図７に示すように、係止片挿通孔を覆う補助壁３３Ｂが設けられている。
【００３６】
溝部３４は、保持部２９のうち、接続部材１５とは反対側の端部に通し溝３５を介して接続されている。
通し溝３５は、その溝内に電圧検知端子２１の電線接続部２５が収容可能に形成されている。
【００３７】
溝部３４は、通し溝３５の溝底に連なる溝底と、この溝底の前後の端縁から立ち上がる溝壁とを有し、溝壁における通し溝３５に連なる部分は、溝壁が分断されて電圧検知端子２１の端末に連なる電線Ｗを通し溝３５から溝部３４内に導くことができるようになっている。
【００３８】
第１プロテクタ２８Ａ及び第２プロテクタ２８Ｂにおける各保持部２９に対応して設けられた溝部３４は、溝部３４の延出方向に間隔を空けて設けられており、第１プロテクタ２８Ａと第２プロテクタ２８Ｂについて互いに間隔を空けた部分に他方側の溝部３４が嵌まり込むことにより、第１プロテクタ２８Ａと第２プロテクタ２８Ｂの各溝部３４が左右に一列状に連なって電線収容溝４３を構成している。
【００３９】
間隔調整手段４０は、隣り合う保持部２９間を連結するとともに、単電池群１３への組み付けの際の寸法公差に対して隣り合う保持部２９間の間隔を調整することで組み付けの際の寸法公差を吸収するものであり、仕切り壁３２の角部から左右方向（保持部２９の並び方向）に対して傾斜した方向に延びる一対の撓み部４１と、左右方向に延びて左右に隣り合う撓み部４１間を連結する一対の連結部４２とを備える。
一対の撓み部４１は、互いに近づく方向（撓み部間の間隔を狭くする方向）に所定の角度（本実施形態では、左右方向に対して概ね５５度の角度）で傾斜している。
【００４０】
一対の撓み部４１は、上下方向（配線モジュールの単電池群への組み付け方向）の寸法が、仕切り壁３２の高さ寸法にほぼ等しい厚肉の寸法である。また、厚み寸法（図７に表されている撓み部の厚み）は、仕切り壁３２の厚み寸法にほぼ等しい薄肉の寸法とされている。
なお、撓み部４１の左右方向に対する傾斜角度、上下方向の寸法、及び、厚み寸法は、上記した値に限らず、単電池群１３への組み付けの際の寸法公差を吸収できる程度の値に適宜設定することができる。
連結部４２は、撓み部４１と同一の高さ及び厚み寸法で撓み部４１に連なるように形成されている。
【００４１】
次に、配線モジュール２０の組み付けについて説明する。
第１プロテクタ２８Ａ及び第２プロテクタ２８Ｂを互いの溝部３４が電線収容溝４３として連なるように配置して樹脂プロテクタ２８を形成する（図７）。また、複数の電線Ｗの端末に接続された複数の電圧検知端子２１を各保持部２９に保持させ、電線Ｗを通し溝３５から電線収容溝４３に通す。
これにより、配線モジュール２０が形成される（図５）。
【００４２】
次に複数の接続部材１５の各通し孔１７，１７を単電池群１３の隣り合う電極端子１２Ａ，１２Ｂに挿通して接続部材１５を単電池群１３に組み付ける（図１１）。
接続部材１５の端子固定孔１９及び電圧検知端子２１の接続部材固定孔２３が連通するように単電池群１３の上に、配線モジュール２０を装着する（図２）。このとき電極端子１２Ａ，１２Ｂ間の寸法公差に伴って電圧検知端子２１の接続部材固定孔２３の位置が接続部材１５の端子固定孔１９の位置に対してずれている場合には、配線モジュール２０の間隔調整手段４０の一対の撓み部４１を撓ませる（弾性変形させる）ことにより電極端子１２Ａ，１２Ｂ間の寸法公差を吸収させて接続部材固定孔２３と端子固定孔１９の位置を合わせる（連通させる）。
【００４３】
そして、接続部材固定孔２３及び端子固定孔１９に固定部材を通して接続部材１５と電圧検知端子２１との間をネジ留めして固定する。なお、これとは異なり、接続部材１５と電圧検知端子２１との間を固定部材により固定した後に、単電池群１３に組み付けるようにすることも可能である。
次に、電極端子１２Ａ，１２Ｂをナットで締結して各接続部材１５を単電池群１３に固定する。これにより、単電池群１３に配線モジュール２０が組み付けられた電池モジュール１０が形成される。このとき、接続部材１５が単電池群１３に固定されることで、接続部材１５に固定された電圧検知端子２１の位置が（単電池群１３に対して）固定されるとともに、電圧検知端子２１を保持する樹脂プロテクタ２８についても電圧検知端子２１が固定されることで（単電池群１３に対する）相対的位置が固定される。
【００４４】
上記実施形態の構成によれば、以下の作用・効果を奏する。
（１）電池モジュール１０は、正極及び負極の電極端子１２Ａ，１２Ｂを有する複数の単電池１１からなる単電池群１３と、隣り合う電極端子１２Ａ，１２Ｂ間を接続する接続部材１５と、単電池群１３に組み付けられる配線モジュール２０とを備え、配線モジュール２０は、単電池１１の状態を検知するために設けられ複数の電線Ｗの端末部に接続された複数の電圧検知端子２１（検知端子）と、各電圧検知端子２１を保持する複数の保持部２９と、隣り合う複数の保持部２９間に設けられ保持部２９間の間隔を調整する間隔調整手段４０と、を備える。
【００４５】
本実施形態によれば、接続部材１５が配線モジュール２０とは別に構成されるため、配線モジュール２０を小型化することが可能になる。
また、隣り合う単電池１１間の寸法公差に対しては、隣り合う保持部２９間に間隔調整手段４０を設けたため、隣り合う単電池１１間の寸法公差による不具合を防止することが可能になる。
【００４６】
（２）接続部材１５は、隣り合う電極端子１２Ａ，１２Ｂ間を接続する電極間接続部１６と、電圧検知端子２１（検知端子）に重ねられて電圧検知端子２１と接続される検知接続部１８とを備える。
このようにすれば、接続部材１５を配線モジュール２０とは別に構成したとしても、簡素な構成で、電圧検知端子２１により電極端子１２Ａ，１２Ｂ間の電圧（状態）を検知することが可能になる。
【００４７】
（３）間隔調整手段４０は、電圧検知端子２１（検知端子）の並び方向に対して傾斜した方向に延出されることにより、電圧検知端子２１の並び方向に弾性変形可能に構成された撓み部４１である。
このようにすれば、簡素な構成で単電池１１間の寸法公差を吸収することが可能になる。
【００４８】
（４）撓み部４１は、配線モジュール２０の単電池群１３への組み付け方向に厚肉の形状である。
このようにすれば配線モジュール２０における組み付け方向の剛性を高めることが可能になる。
【００４９】
（５）単電池群１３は、電極端子１２Ａ，１２Ｂが２列に並んで設けられており、配線モジュール２０は、複数の保持部２９及び間隔調整手段４０を有する樹脂プロテクタ２８を備え、樹脂プロテクタ２８は、電極端子１２Ａ，１２Ｂの各列にそれぞれ組み付けられる第１プロテクタ２８Ａと第２プロテクタ２８Ｂとを備え、第１プロテクタ２８Ａ及び第２プロテクタ２８Ｂは、共に、電圧検知端子２１（検知端子）に接続された電線が配される溝部３４が設けられており、第１プロテクタ及び第２プロテクタの溝部３４は、互いに交互に連なって一列の電線収容溝４３を構成している。
このようにすれば、１列の電線収容溝４３に電線Ｗを配策することができるため、電線Ｗを配策する構成を簡素化することができる。
【００５０】
＜他の実施形態＞
本発明は上記記述及び図面によって説明した実施形態に限定されるものではなく、例えば次のような実施形態も本発明の技術的範囲に含まれる。
（１）上記実施形態では、樹脂プロテクタ２８は、プレート状であったが、これに限らず、樹脂プロテクタを複数の別体の（同一形状の）連結ユニットを左右に連結して構成したものに本発明の構成を適用してもよい。この場合、例えば、検知端子が保持される各連結ユニットに被係合部と、隣り合う連結ユニットの被係合部に係合する係合部を設け、係合部と被係合部とで連結ユニット間を接続するとともに連結ユニット間の間隔を調整する間隔調整手段を構成するようにすることができる。
【００５１】
（２）上記実施形態では、間隔調整手段４０として、一対の撓み部４１を設けたが、間隔調整手段としては、これに限られない。例えば、左右方向に弾性変形可能な弾性部材を用いて隣り合う保持部２９間の間隔を調整する構成としてもよい。また、例えば、一対の撓み部４１のうちの一方の撓み部のみによって、間隔調整手段を構成するようにしてもよい。
（３）電池モジュール１０を構成する単電池１１の数については、上記実施形態の個数に限られない。また、保持部２９や間隔調整手段４０の数についても単電池１１の数に応じて適宜変更することができる。
【００５２】
（４）上記実施形態では、電極端子１２Ａ，１２Ｂに接続部材１５を挿通してナットで締結する構成であったが、これに限らず、単電池１１がナット型の電極端子を備える構成とし、ボルトをナット型の電極端子に締結するようにしてもよい。
（５）上記実施形態では、保持部２９には単電池１１の電圧を検知する電圧検知端子２１が保持される構成としたが、電圧を検知する電圧検知端子２１に限らず、単電池１１の状態（例えば電流や温度等）を検知する検知端子が保持部２９に保持されるようにしてもよい。
【００５３】
（６）接続部材１５については、配線モジュール２０（樹脂プロテクタ２８）とは別体で仕切り壁を有する収容部材に収容して接続部材１５を外部と絶縁するようにしてもよい。
（７）上記実施形態では、接続部材１５は、異極の電極端子１２Ａ，１２Ｂを接続（直列接続）するものとしたが、これに限られず、同極の電極端子１２Ａ（１２Ｂ）を接続（並列接続）するものでもよい。例えば、上記実施形態の電池モジュール１０に更に別の単電池１１を並列接続し、この並列接続における同極の電極端子１２Ａ（１２Ｂ）を複数の接続部材１５で接続するようにしてもよい。
【００５４】
（８）上記実施形態では、電圧検知端子２１は、接続部材１５に接続される構成としたが、これに限られない。例えば、単電池に接続部材に接続される電極端子とは別に電圧検知用の電極を設け、配線モジュールの電圧検知端子２１を、接続部材１５に接続せずに、単電池の電圧検知用の電極に接続して、単電池の電圧（状態）を検知するように構成してもよい。
【符号の説明】
【００５５】
１０…電池モジュール
１１…単電池
１２Ａ，１２Ｂ…電極端子
１３…単電池群
１５…接続部材
１６…電極間接続部
１８…検知接続部
１９…端子固定孔
２０…配線モジュール
２１…電圧検知端子（検知端子）
２２…板状部
２３…接続部材固定孔
２８…樹脂プロテクタ
２８Ａ…第１プロテクタ
２８Ｂ…第２プロテクタ
２９…保持部
３０…底板
３２…仕切り壁
３４…溝部
４０…間隔調整手段
４１…撓み部
４２…連結部
４３…電線収容溝
Ｗ…電線
【図１】
0005838721.tif 000002
【図２】
0005838721.tif 000003
【図３】
0005838721.tif 000004
【図４】
0005838721.tif 000005
【図５】
0005838721.tif 000006
【図６】
0005838721.tif 000007
【図７】
0005838721.tif 000008
【図８】
0005838721.tif 000009
【図９】
0005838721.tif 000010
【図１０】
0005838721.tif 000011
【図１１】
0005838721.tif 000012